(57)【要約】【課題】安価な構成で、障害物等による影響を受けることなく、展示物の周囲近傍にて適切なコンテンツを再生する。【解決手段】展示物が存在する所定のエリア毎に配置され、異なる周波数の可聴域外の音響信号を出力する音響信号発生装置１を備え、携帯端末２は、音響信号を受信する音響信号受信部２１と、音響信号の周波数を抽出する周波数抽出部２２と、周波数に関する情報をサーバ３に送信する周波数情報送信部２３とを備え、サーバ３は、エリア内の音響信号の周波数と当該エリア内の展示物を説明するコンテンツとを対応付けた情報を保持する周波数・コンテンツ対応情報保持部３２と、周波数情報送信部２３からの情報を受信する周波数情報受信部３３と、受信された情報を基に周波数・コンテンツ対応情報保持部３２から対応するコンテンツを検索するコンテンツ検索部３４と、コンテンツに関する情報を携帯端末２に送信するコンテンツ情報送信部３５とを備えた。【選択図】図１
2014229007.tif 000002
【特許請求の範囲】
【請求項１】
展示物を説明するコンテンツに関する情報を送信するサーバと、前記サーバにより送信された情報に基づいて、該当するコンテンツを再生する携帯端末とを備えた展示案内システムにおいて、
前記展示物が存在する所定のエリア毎に配置され、互いに異なる周波数の可聴域外の音響信号を出力する音響信号発生装置を備え、
前記携帯端末は、
前記音響信号発生装置により出力された音響信号を受信する音響信号受信部と、
前記音響信号受信部により受信された音響信号の周波数を抽出する周波数抽出部と、
前記周波数抽出部により抽出された周波数に関する情報を前記サーバに送信する周波数情報送信部とを備え、
前記サーバは、
前記エリア内の音響信号発生装置により出力される音響信号の周波数と、当該エリア内の展示物を説明するコンテンツとを対応付けた情報を保持する周波数・コンテンツ対応情報保持部と、
前記周波数情報送信部により送信された情報を受信する周波数情報受信部と、
前記周波数情報受信部により受信された情報に基づいて、前記周波数・コンテンツ対応情報保持部から対応するコンテンツを検索するコンテンツ検索部と、
前記コンテンツ検索部により検索されたコンテンツに関する情報を該当する前記携帯端末に送信するコンテンツ情報送信部とを備えた
ことを特徴とする展示案内システム。
【請求項２】
前記音響信号発生装置は、指向性を有する音響信号を出力する
ことを特徴とする請求項１記載の展示案内システム。
【請求項３】
展示物が存在する所定のエリア毎に配置され、互いに異なる周波数の可聴域外の音響信号を出力する
ことを特徴とする音響信号発生装置。
【請求項４】
展示物を説明するコンテンツを再生する携帯端末に対して、前記コンテンツに関する情報を送信するサーバにおいて、
前記展示物が存在する所定のエリア毎に配置され、互いに異なる周波数の可聴域外の音響信号を出力する音響信号発生装置により出力される音響信号の周波数と、当該エリア内の展示物を説明するコンテンツとを対応付けた情報を保持する周波数・コンテンツ対応情報保持部と、
前記携帯端末により受信された前記音響信号発生装置により出力された音響信号の周波数に関する情報を受信する周波数情報受信部と、
前記周波数情報受信部により受信された情報に基づいて、前記周波数・コンテンツ対応情報保持部から対応するコンテンツを検索するコンテンツ検索部と、
前記コンテンツ検索部により検索されたコンテンツに関する情報を該当する前記携帯端末に送信するコンテンツ情報送信部とを備えた
ことを特徴とするサーバ。
【請求項５】
サーバにより送信された展示物を説明するコンテンツに関する情報を基づいて、該当するコンテンツを再生する携帯端末において、
前記展示物が存在する所定のエリア毎に配置され、互いに異なる周波数の可聴域外の音響信号を出力する音響信号発生装置により出力された音響信号を受信する音響信号受信部と、
前記音響信号受信部により受信された音響信号の周波数を抽出する周波数抽出部と、
前記周波数抽出部により抽出された周波数に関する情報を前記サーバに送信する周波数情報送信部とを備えた
ことを特徴とする携帯端末。
【発明の詳細な説明】
【技術分野】
【０００１】
この発明は、展示物を説明するコンテンツに関する情報を送信するサーバと、サーバにより送信された情報に基づいて、該当するコンテンツを再生する携帯端末とを備えた展示案内システム、音響信号発生装置、サーバ及び携帯端末に関するものである。
【背景技術】
【０００２】
従来から、見学コースに沿って配置された展示物を説明する展示案内システムとしては、様々な形式のものが知れられている。例えば、特許文献１に開示されたシステムでは、展示物固有コードを示す信号（赤外線）を展示物の周囲近傍空間でのみ受信可能な信号強度で発信している。そして、見学者が保持する携帯端末にて上記信号を受信することで、展示物に対応したコンテンツ（映像・音声）を再生可能としている。
【先行技術文献】
【特許文献】
【０００３】
【特許文献１】特開平４−８４１８７号公報
【発明の概要】
【発明が解決しようとする課題】
【０００４】
しかしながら、赤外線を用いた信号の送受信では、人や物体等の障害物が存在する場合に遮断されてしまうという課題がある。この場合、携帯端末にて赤外線を受信することができず、コンテンツの再生ができない恐れがある。また、工場内の設備を案内する工場案内においては、工場内で用いられる多種の無線、ＩＲ、その他のノイズ、溶接光等の影響を受け易いという課題もある。また、赤外線を用いた信号の送受信では、携帯端末側に赤外線を受光するためのセンサが別途必要となるという課題もある。
また、固有コードを示す信号（赤外線）等は、その方向に携帯端末を向けないと受信できない等、受信する側にも制約がかるという課題がある。
さらに、多人数で見学することにより、信号を受信するためには、赤外線等のライン上での受信ではなく、エリア（空間）としての受信が必要であるという課題がある。
【０００５】
この発明は、上記のような課題を解決するためになされたもので、安価な構成で、障害物等による影響を受けることなく、展示物の周囲近傍にて適切なコンテンツを再生することができる展示案内システム、音響信号発生装置、サーバ及び携帯端末を提供することを目的としている。
【課題を解決するための手段】
【０００６】
この発明に係る展示案内システムは、展示物を説明するコンテンツに関する情報を送信するサーバと、サーバにより送信された情報に基づいて、該当するコンテンツを再生する携帯端末と、展示物が存在する所定のエリア毎に配置され、互いに異なる周波数の可聴域外の音響信号を出力する音響信号発生装置とを備え、携帯端末は、音響信号発生装置により出力された音響信号を受信する音響信号受信部と、音響信号受信部により受信された音響信号の周波数を抽出する周波数抽出部と、周波数抽出部により抽出された周波数に関する情報をサーバに送信する周波数情報送信部とを備え、サーバは、エリア内の音響信号発生装置により出力される音響信号の周波数と、当該エリア内の展示物を説明するコンテンツとを対応付けた情報を保持する周波数・コンテンツ対応情報保持部と、周波数情報送信部により送信された情報を受信する周波数情報受信部と、周波数情報受信部により受信された情報に基づいて、周波数・コンテンツ対応情報保持部から対応するコンテンツを検索するコンテンツ検索部と、コンテンツ検索部により検索されたコンテンツに関する情報を該当する携帯端末に送信するコンテンツ情報送信部とを備えたものである。
【発明の効果】
【０００７】
この発明によれば、上記のように構成したので、安価な構成で、障害物等による影響を受けることなく、展示物の周囲近傍にて適切なコンテンツを再生することができる。また、比較的安価でかつ受信エリアを調整し易い音響信号を用いることで、複雑なロジックを用いずとも、確実に展示物の説明を見学者に提供することができる。また、音響信号を用いることで、その信号の方向に携帯端末を向けなくても受信が可能となり、さらに、エリア（空間）としての受信が可能となる。
【図面の簡単な説明】
【０００８】
【図１】この発明の実施の形態１に係る展示案内システムの構成を示す図である。
【図２】この発明の実施の形態１に係る展示案内システムの動作概要を示す図である。
【図３】この発明の実施の形態１に係る見学者用端末の構成を示す図である。
【図４】この発明の実施の形態１に係るサーバの構成を示す図である。
【図５】この発明の実施の形態１に係る展示案内システムの動作を示すフローチャートである。
【発明を実施するための形態】
【０００９】
以下、この発明の実施の形態について図面を参照しながら詳細に説明する。
実施の形態１．
図１はこの発明の実施の形態１に係る展示案内システムの構成を示す図であり、図２は展示案内システムの動作概要を示す図である。なお以下では、展示案内として、工場内に配置された設備を案内する工場案内を例にして説明を行う。
展示案内システムは、図１，２に示すように、音響信号発生装置１、見学者用端末（携帯端末）２及びサーバ３から構成されている。なお、見学者用端末２とサーバ３とは、アクセスポイント４を介して通信可能に構成されている。
【００１０】
音響信号発生装置１は、設備（展示物）が存在する所定のエリア毎に配置され、互いに異なる周波数の可聴域外の音響信号を出力するものである。すなわち、音響信号発生装置１は、設備を説明するコンテンツの再生が必要なエリア毎に配置される。
【００１１】
見学者用端末２は、工場内を見学する見学者が保持するものであり、サーバ３により送信されたコンテンツ（映像・音声）に関する情報に基づいて該当するコンテンツを再生することで、工場内の各設備の説明を行うものである。この見学者用端末２は、図３に示すように、音響信号受信部２１、周波数抽出部２２、周波数情報送信部２３、コンテンツ情報受信部２４及びコンテンツ再生部２５を有している。
【００１２】
音響信号受信部２１は、音響信号発生装置１により出力された音響信号を受信するものである。この音響信号受信部２１としては、見学者用端末２に既設のマイクを用いる。
【００１３】
周波数抽出部２２は、音響信号受信部２１により受信された音響信号の周波数を抽出するものである。
【００１４】
周波数情報送信部２３は、定期的に、周波数抽出部２２により抽出された周波数に関する情報を、アクセスポイント４を介してサーバ３に送信するものである。なお以下では、周波数情報送信部２３は、周波数に関する情報として、周波数抽出部２２により抽出された周波数を示す周波数情報をサーバ３に通知するものとする。
【００１５】
コンテンツ情報受信部２４は、サーバ３により送信されたコンテンツに関する情報を、アクセスポイント４を介して受信するものである。なお以下では、コンテンツ情報受信部２４は、コンテンツに関する情報として、サーバ３により配信されたコンテンツを受信するものとする。
【００１６】
コンテンツ再生部２５は、コンテンツ情報受信部２４により受信された情報に基づいて、該当するコンテンツを再生するものである。
【００１７】
サーバ３は、見学者用端末２に対し、工場内の設備を説明するコンテンツに関する情報を送信するものである。このサーバ３は、図４に示すように、コンテンツ保持部３１、周波数・コンテンツ対応情報保持部３２、周波数情報受信部３３、コンテンツ検索部３４及びコンテンツ情報送信部３５から構成されている。
【００１８】
コンテンツ保持部３１は、工場内の各設備を説明する複数のコンテンツを保持するものである。
【００１９】
周波数・コンテンツ対応情報保持部３２は、各エリア内の音響信号発生装置１により出力される音響信号の周波数と、当該エリア内の展示物を説明するコンテンツとを対応付けた情報を保持するものである。
【００２０】
周波数情報受信部３３は、見学者用端末２の周波数情報送信部２３により送信された情報（周波数情報）を、アクセスポイント４を介して受信するものである。
【００２１】
コンテンツ検索部３４は、周波数情報受信部３３により受信された情報に基づいて、周波数・コンテンツ対応情報保持部３２から対応するコンテンツを検索するものである。
【００２２】
コンテンツ情報送信部３５は、コンテンツ検索部３４により検索されたコンテンツに関する情報を、アクセスポイント４を介して該当する見学者用端末２に送信するものである。なお以下では、コンテンツ情報送信部３５は、コンテンツに関する情報として、コンテンツ保持部３１から該当するコンテンツを抽出し、このコンテンツを該当する見学者用端末２に配信するものとする。
【００２３】
次に、上記のようの構成された展示案内システムの動作について、図５を参照しながら説明する。
なお、音響信号発生装置１は、例えば図２に示すように、設備（設備Ａ，Ｂ）が存在するエリア（エリアＡ，Ｂ）毎に配置され、互いに異なる周波数の可聴域外の音響信号を出力している。ここで、例えば、各音響信号発生装置１が出力する周波数帯域は１８ｋＨｚ〜２２ｋＨｚ程度である。図２では２台の音響信号発生装置１を設置した場合を示しているが、隣り合う（近傍する）周波数を区別することで数に限りなく設置することができる。
【００２４】
この展示案内システムの動作では、見学者用端末２を保持している見学者が、工場内の見学コースに沿って進み、音響信号発生装置１が可聴域外の音響信号を発生しているエリア内に入ると、まず、図５に示すように、見学者用端末２の音響信号受信部２１は、当該音響信号発生装置１により出力された音響信号を受信する（ステップＳＴ１）。ここで、本発明では音響信号を用いているため、従来の赤外線を用いた構成に対し、人や物体等の障害物、工場内で用いられる多種の無線、ＩＲ、その他のノイズ、溶接光等による影響を回避することができ、見学者用端末２にて確実に音響信号を受信することができる。また、従来の赤外線を用いた構成では、当該赤外線を受光するためのセンサが別途必要となるが、本発明では携帯端末に既設のマイクを用いて音響信号を受信することができるため、安価に機器を構成することができる。
【００２５】
次いで、周波数抽出部２２は、音響信号受信部２１により受信された音響信号の周波数を抽出する（ステップＳＴ２）。
【００２６】
次いで、周波数情報送信部２３は、定期的に、周波数抽出部２２により抽出された周波数を示す周波数情報を、アクセスポイント４を介してサーバ３に通知する（ステップＳＴ３）。
【００２７】
次いで、サーバ３の周波数情報受信部３３は、見学者用端末２の周波数情報送信部２３により送信された周波数情報を、アクセスポイント４を介して受信する（ステップＳＴ４）。
【００２８】
次いで、コンテンツ検索部３４は、周波数情報受信部３３により受信された周波数情報に基づいて、周波数・コンテンツ対応情報保持部３２から対応するコンテンツを検索する（ステップＳＴ５）。
【００２９】
次いで、コンテンツ情報送信部３５は、コンテンツ検索部３４により検索されたコンテンツをコンテンツ保持部３１から抽出し、このコンテンツをアクセスポイント４を介して該当する見学者用端末２に配信する（ステップＳＴ６）。
【００３０】
次いで、見学者用端末２のコンテンツ情報受信部２４は、サーバ３により配信されたコンテンツを、アクセスポイント４を介して受信する（ステップＳＴ７）。
【００３１】
次いで、コンテンツ再生部２５は、アクセスポイント４を介してサーバ３のコンテンツ情報送信部３５から配信されたコンテンツを再生する（ステップＳＴ８）。
【００３２】
以上の動作により、例えば図２に示す見学コースにおいて、音響信号発生装置１Ａが設置されたエリアＡ内にいる見学者の見学者用端末２では、まず、当該音響信号発生装置１Ａからの音響信号を受信する。そして、この音響信号の周波数をサーバ３に通知することで、サーバ３にて周波数から当該エリアＡ内の設備Ａに関するコンテンツＡが検索・配信され、コンテンツＡを自動的に再生する。
一方、音響信号発生装置１Ｂが設置されたエリアＢ内にいる見学者の見学者用端末２では、まず、当該音響信号発生装置１Ｂからの音響信号を受信する。そして、この音響信号の周波数をサーバ３に通知することで、サーバ３にて周波数から当該エリアＢ内の設備Ｂに関するコンテンツＢが検索・配信され、コンテンツＢを自動的に再生する。
【００３３】
以上のように、この実施の形態１によれば、設備（展示物）が存在する所定のエリア毎に配置され、互いに異なる周波数の可聴域外の音響信号を出力する音響信号発生装置１を備え、見学者用端末２にて、この音響信号を受信してその周波数に関する情報をサーバ３に通知し、サーバ３にて当該周波数に対応したコンテンツを当該見学者用端末２に配信するように構成したので、安価な構成で、障害物等による影響を受けることなく、展示物の周囲近傍にて適切なコンテンツを再生することができる。また、比較的安価でかつ受信エリアを調整し易い音響信号を用いることで、複雑なロジックを用いずとも、確実に展示物の説明を見学者に提供することができる。
また、音響信号を用いることで、その信号の方向に携帯端末を向けなくても受信が可能となる。さらに、エリア（空間）としての受信が可能となるため、多人数での見学において適切なコンテンツを提供することが可能となる。
【００３４】
なお、音響信号発生装置１において、指向性を有する音響信号を出力するようにしてもよい。これにより、展示物の配置間隔が狭い場合においても、適切な場所で適切なコンテンツを再生することが可能となる。
【００３５】
また上記では、展示案内として、工場内の設備を説明する工場案内を例にして説明を行った。しかしながら、これに限るものではなく、例えば、絵画等の展示会や動物園等において展示物を案内する展示案内に対しても同様に本発明を適用可能である。
【００３６】
また上記では、サーバ３のコンテンツ保持部３１にてコンテンツを保持し、コンテンツ情報送信部３５にて該当するコンテンツを見学者用端末２に配信するものとして説明を行った。しかしながら、これに限るものではなく、例えば、サーバ３とは別の外部サーバにてコンテンツを保持するようにしてもよい。この場合、例えば、サーバ３のコンテンツ情報送信部３５は該当するコンテンツを示す情報を見学者用端末２に通知し、見学者用端末２はこの情報に基づいて外部サーバから該当するコンテンツを取得する。
【００３７】
また上記では、見学者用端末２の周波数情報送信部２３は、音響信号の周波数を示す周波数情報をサーバ２に通知するものとして説明を行った。しかしながら、これに限るものではなく、例えば、見学者用端末２にて、音響信号発生装置１が出力する音響信号の周波数と当該音響信号発生装置１が配置されたエリアとの対応情報を保持し、周波数情報送信部２３は、周波数抽出部２２により抽出された周波数から対応するエリアを検索し、このエリアを示すエリア情報をサーバ２に通知するようにしてもよい。この場合、サーバ２では、エリア情報に基づいて該当するコンテンツを検索する。
【００３８】
なお、本願発明はその発明の範囲内において、実施の形態の任意の構成要素の変形、もしくは実施の形態の任意の構成要素の省略が可能である。
【符号の説明】
【００３９】
１  音響信号発生装置、２  見学者用端末（携帯端末）、３  サーバ、４  アクセスポイント、２１  音響信号受信部、２２  周波数抽出部、２３  周波数情報送信部、２４  コンテンツ情報受信部、２５  コンテンツ再生部、３１  コンテンツ保持部、３２  周波数・コンテンツ対応情報保持部、３３  周波数情報受信部、３４  コンテンツ検索部、３５  コンテンツ情報送信部。
【図１】
2014229007.tif 000003
【図２】
2014229007.tif 000004
【図３】
2014229007.tif 000005
【図４】
2014229007.tif 000006
【図５】
2014229007.tif 000007